【手続補正書】
【提出日】平成28年7月5日(2016.7.5)
【手続補正１】
【補正対象書類名】特許請求の範囲
【補正対象項目名】全文
【補正方法】変更
【補正の内容】
【特許請求の範囲】
【請求項１】
入力画像を複数の領域に分割する領域分割手段と、
前記複数の領域のうちの処理対象である対象領域に含まれる対象画素信号に対する予測信号を生成する予測信号生成手段と、
前記予測信号と前記対象画素信号との残差信号を生成する残差信号生成手段と、
前記残差信号生成手段により生成された残差信号に対して変換と量子化の両方又は一方を行い、変換係数行列又は量子化された変換係数行列を生成する変換手段と、
前記変換手段により生成された変換係数行列又は量子化された変換係数行列を走査して、変換係数又は量子化された変換係数の１次元データを生成する走査手段と、
前記走査手段により生成された変換係数又は量子化された変換係数の１次元データを符号化する符号化手段と、
前記変換係数又は量子化された変換係数の１次元データを復元する復号手段と、
前記復号手段により復号された残差信号に関する変換係数又は量子化された変換係数の１次元データを逆走査して、変換係数行列又は量子化された変換係数行列を生成する逆走査手段と、
前記逆走査手段により生成された前記変換係数行列に逆変換を行うか、又は、前記逆走査手段により生成された量子化された変換係数行列に逆量子化と逆変換の両方若しくは逆量子化のみを行うことで、再生残差信号を復元する逆変換手段と、
前記予測信号生成手段により生成された前記予測信号と前記逆変換手段により復元された再生残差信号とを加算することによって、前記対象画素信号を復元する画像復元手段と、
前記復元された対象画素信号を蓄積する画像保存手段と、
を備え、
前記予測信号生成手段は、前記画像保存手段に蓄積されている既再生の画素を参照して、異なる予測信号生成方法で複数のテキスチャ信号を生成し、生成した複数のテキスチャ信号のうち、所定の評価規則に照らし前記対象画素信号との相関が最も高いテキスチャ信号を、対象領域の予測信号として選択する予測方法決定手段を含み、
前記符号化手段は、前記予測方法決定手段により選択されたテキスチャ信号を生成する予測信号生成方法を指示する画面内予測モード情報を符号化し、
前記走査手段は、変換を実施する際の変換ブロックサイズが第１のサイズである場合には用意された複数の走査方法の中から、前記予測方法決定手段により選択されたテキスチャ信号を生成する予測信号生成方法に基づいて定まる走査方法を用い、前記変換ブロックサイズが前記第１のサイズよりも大きい第２のサイズである場合には規定の走査方法を用いて、前記変換係数又は量子化された変換係数の１次元データを生成し、
前記逆走査手段は、逆変換を実施する際の逆変換ブロックサイズが前記第１のサイズである場合には用意された複数の逆走査方法の中から、前記画面内予測モード情報に基づいて定まる逆走査方法を用い、前記逆変換ブロックサイズが前記第２のサイズである場合には規定の逆走査方法を用いて、前記復元された変換係数又は量子化された変換係数の１次元データを逆走査して、再生残差信号の変換係数行列又は量子化された変換係数行列を生成する、
ことを特徴とする画像符号化装置。
【請求項２】
前記予測信号生成手段は、前記対象領域に隣接する既再生の画素を参照する画面内予測信号生成方法により、１つ以上のテキスチャ信号を生成し、
前記用意された複数の走査方法は、前記画面内予測信号生成方法により生成されるテキスチャ信号に適した走査方法を含み、
前記用意された複数の逆走査方法は、前記画面内予測信号生成方法により生成されるテキスチャ信号に適した逆走査方法を含む、
ことを特徴とする請求項１に記載の画像符号化装置。
【請求項３】
前記走査方法と前記予測信号生成方法との対応、及び、前記逆走査方法と前記予測信号生成方法との対応は、予め決まっていることを特徴とする請求項１に記載の画像符号化装置。
【請求項４】
前記符号化手段は、前記選択された予測信号生成方法に対応する逆走査方法を、前記用意された逆走査方法の中から、識別するための識別情報を符号化することを特徴とする請求項１に記載の画像符号化装置。
【請求項５】
圧縮データの中から処理対象である対象領域に関する画面内予測モード情報と量子化された変換係数の１次元データとを抽出して復元する復号手段と、
複数の画面内予測信号生成方法の中から前記画面内予測モード情報で指定された方法で既再生の画素を参照して画面内予測信号を生成する予測信号生成手段と、
前記量子化された変換係数の１次元データを逆走査して、量子化された変換係数行列を生成し、生成した変換係数行列に逆量子化と逆変換を行うことで再生残差信号を復元し、前記画面内予測信号と前記再生残差信号を加算することによって、前記対象領域の画素信号を復元する画像復元手段と、
を備え、
前記画像復元手段は、逆変換を実施する際の逆変換ブロックサイズが第１のサイズである場合には用意された複数の逆走査方法の中から、前記画面内予測モード情報に基づいて定まる逆走査方法を用い、前記逆変換ブロックサイズが前記第１のサイズよりも大きい第２のサイズである場合には規定の逆走査方法を用いて、前記量子化された変換係数の１次元データを逆走査して、前記量子化された変換係数行列を生成する、
ことを特徴とする画像復号装置。
【請求項６】
前記予測信号生成手段は、前記対象領域に隣接する既再生の画素を参照する画面内予測信号生成方法により、１つ以上のテキスチャ信号を生成し、
前記用意された複数の逆走査方法は、前記画面内予測信号生成方法により生成されるテキスチャ信号に適した逆走査方法を含む、
ことを特徴とする請求項５に記載の画像復号装置。
【請求項７】
前記逆走査方法と前記画面内予測信号生成方法との対応は、予め決まっていることを特徴とする請求項５に記載の画像復号装置。
【請求項８】
前記復号手段は、前記用意された複数の逆走査方法の中から、特定された予測信号生成方法に対応する逆走査方法を選択するための識別情報を抽出して復元し、
前記画像復元手段は、前記用意された複数の逆走査方法の中から、前記画面内予測モード情報と前記識別情報とから定まる逆走査方法を用いて、前記量子化された変換係数行列を生成する、
ことを特徴とする請求項５に記載の画像復号装置。
【請求項９】
画像符号化装置により実行される画像符号化方法であって、
入力画像を複数の領域に分割する領域分割ステップと、
前記複数の領域のうちの処理対象である対象領域に含まれる対象画素信号に対する予測信号を生成する予測信号生成ステップと、
前記予測信号と前記対象画素信号との残差信号を生成する残差信号生成ステップと、
前記残差信号生成ステップにより生成された残差信号に対して変換と量子化の両方又は一方を行い、変換係数行列又は量子化された変換係数行列を生成する変換ステップと、
前記変換ステップにより生成された変換係数行列又は量子化された変換係数行列を走査して、変換係数又は量子化された変換係数の１次元データを生成する走査ステップと、
前記走査ステップにより生成された変換係数又は量子化された変換係数の１次元データを符号化する符号化ステップと、
前記変換係数又は量子化された変換係数の１次元データを復元する復号ステップと、
前記復号ステップにより復号された残差信号に関する変換係数又は量子化された変換係数の１次元データを逆走査して、変換係数行列又は量子化された変換係数行列を生成する逆走査ステップと、
前記逆走査ステップにより生成された前記変換係数行列に逆変換を行うか、又は、前記逆走査ステップにより生成された量子化された変換係数行列に逆量子化と逆変換の両方若しくは逆量子化のみを行うことで、再生残差信号を復元する逆変換ステップと、
前記予測信号生成ステップにより生成された前記予測信号と前記逆変換ステップにより復元された再生残差信号とを加算することによって、前記対象画素信号を復元する画像復元ステップと、
前記復元された対象画素信号を蓄積する画像保存ステップと、
を備え、
前記予測信号生成ステップでは、前記画像保存ステップにより蓄積されている既再生の画素を参照して、異なる予測信号生成方法で複数のテキスチャ信号を生成し、生成した複数のテキスチャ信号のうち、所定の評価規則に照らし前記対象画素信号との相関が最も高いテキスチャ信号を、対象領域の予測信号として選択する予測方法決定ステップを含み、
前記符号化ステップでは、前記予測方法決定ステップにより選択されたテキスチャ信号を生成する予測信号生成方法を指示する画面内予測モード情報を符号化し、
前記走査ステップでは、変換を実施する際の変換ブロックサイズが第１のサイズである場合には用意された複数の走査方法の中から、前記予測方法決定ステップにより選択されたテキスチャ信号を生成する予測信号生成方法に基づいて定まる走査方法を用い、前記変換ブロックサイズが前記第１のサイズよりも大きい第２のサイズである場合には規定の走査方法を用いて、前記変換係数又は量子化された変換係数の１次元データを生成し、
前記逆走査ステップでは、逆変換を実施する際の逆変換ブロックサイズが前記第１のサイズである場合には用意された複数の逆走査方法の中から、前記画面内予測モード情報に基づいて定まる逆走査方法を用い、前記逆変換ブロックサイズが前記第２のサイズである場合には規定の逆走査方法を用いて、前記復元された変換係数又は量子化された変換係数の１次元データを逆走査して、再生残差信号の変換係数行列又は量子化された変換係数行列を生成する、
ことを特徴とする画像符号化方法。
【請求項１０】
画像復号装置により実行される画像復号方法であって、
圧縮データの中から処理対象である対象領域に関する画面内予測モード情報と量子化された変換係数の１次元データとを抽出して復元する復号ステップと、
複数の画面内予測信号生成方法の中から前記画面内予測モード情報で指定された方法で既再生の画素を参照して画面内予測信号を生成する予測信号生成ステップと、
前記量子化された変換係数の１次元データを逆走査して、量子化された変換係数行列を生成し、生成した変換係数行列に逆量子化と逆変換を行うことで再生残差信号を復元し、前記画面内予測信号と前記再生残差信号を加算することによって、前記対象領域の画素信号を復元する画像復元ステップと、
を備え、
前記画像復元ステップでは、逆変換を実施する際の逆変換ブロックサイズが第１のサイズである場合には用意された複数の逆走査方法の中から、前記画面内予測モード情報に基づいて定まる逆走査方法を用い、前記逆変換ブロックサイズが前記第１のサイズよりも大きい第２のサイズである場合には規定の逆走査方法を用いて、前記量子化された変換係数の１次元データを逆走査して、前記量子化された変換係数行列を生成する、
ことを特徴とする画像復号方法。
【請求項１１】
コンピュータを、
入力画像を複数の領域に分割する領域分割手段と、
前記複数の領域のうちの処理対象である対象領域に含まれる対象画素信号に対する予測信号を生成する予測信号生成手段と、
前記予測信号と前記対象画素信号との残差信号を生成する残差信号生成手段と、
前記残差信号生成手段により生成された残差信号に対して変換と量子化の両方又は一方を行い、変換係数行列又は量子化された変換係数行列を生成する変換手段と、
前記変換手段により生成された変換係数行列又は量子化された変換係数行列を走査して、変換係数又は量子化された変換係数の１次元データを生成する走査手段と、
前記走査手段により生成された変換係数又は量子化された変換係数の１次元データを符号化する符号化手段と、
前記変換係数又は量子化された変換係数の１次元データを復元する復号手段と、
前記復号手段により復号された残差信号に関する変換係数又は量子化された変換係数の１次元データを逆走査して、変換係数行列又は量子化された変換係数行列を生成する逆走査手段と、
前記逆走査手段により生成された前記変換係数行列に逆変換を行うか、又は、前記逆走査手段により生成された量子化された変換係数行列に逆量子化と逆変換の両方若しくは逆量子化のみを行うことで、再生残差信号を復元する逆変換手段と、
前記予測信号生成手段により生成された前記予測信号と前記逆変換手段により復元された再生残差信号とを加算することによって、前記対象画素信号を復元する画像復元手段と、
前記復元された対象画素信号を蓄積する画像保存手段、
として機能させるための画像符号化プログラムであって、
前記予測信号生成手段は、前記画像保存手段に蓄積されている既再生の画素を参照して、異なる予測信号生成方法で複数のテキスチャ信号を生成し、生成した複数のテキスチャ信号のうち、所定の評価規則に照らし前記対象画素信号との相関が最も高いテキスチャ信号を、対象領域の予測信号として選択する予測方法決定手段を含み、
前記符号化手段は、前記予測方法決定手段により選択されたテキスチャ信号を生成する予測信号生成方法を指示する画面内予測モード情報を符号化し、
前記走査手段は、変換を実施する際の変換ブロックサイズが第１のサイズである場合には用意された複数の走査方法の中から、前記予測方法決定手段により選択されたテキスチャ信号を生成する予測信号生成方法に基づいて定まる走査方法を用い、前記変換ブロックサイズが前記第１のサイズよりも大きい第２のサイズである場合には規定の走査方法を用いて、前記変換係数又は量子化された変換係数の１次元データを生成し、
前記逆走査手段は、逆変換を実施する際の逆変換ブロックサイズが前記第１のサイズである場合には用意された複数の逆走査方法の中から、前記画面内予測モード情報に基づいて定まる逆走査方法を用い、前記逆変換ブロックサイズが前記第２のサイズである場合には規定の逆走査方法を用いて、前記復元された変換係数又は量子化された変換係数の１次元データを逆走査して、再生残差信号の変換係数行列又は量子化された変換係数行列を生成する、
ことを特徴とする画像符号化プログラム。
【請求項１２】
コンピュータを、
圧縮データの中から処理対象である対象領域に関する画面内予測モード情報と量子化された変換係数の１次元データとを抽出して復元する復号手段と、
複数の画面内予測信号生成方法の中から前記画面内予測モード情報で指定された方法で既再生の画素を参照して画面内予測信号を生成する予測信号生成手段と、
前記量子化された変換係数の１次元データを逆走査して、量子化された変換係数行列を生成し、生成した変換係数行列に逆量子化と逆変換を行うことで再生残差信号を復元し、前記画面内予測信号と前記再生残差信号を加算することによって、前記対象領域の画素信号を復元する画像復元手段、
として機能させるための画像復号プログラムであって、
前記画像復元手段は、逆変換を実施する際の逆変換ブロックサイズが第１のサイズである場合には用意された複数の逆走査方法の中から、前記画面内予測モード情報に基づいて定まる逆走査方法を用い、前逆記変換ブロックサイズが前記第１のサイズよりも大きい第２のサイズである場合には規定の逆走査方法を用いて、前記量子化された変換係数の１次元データを逆走査して、前記量子化された変換係数行列を生成する、
ことを特徴とする画像復号プログラム。
【手続補正２】
【補正対象書類名】明細書
【補正対象項目名】００１３
【補正方法】変更
【補正の内容】
【００１３】
本発明に係る画像符号化装置は、入力画像を複数の領域に分割する領域分割手段と、前記複数の領域のうちの処理対象である対象領域に含まれる対象画素信号に対する予測信号を生成する予測信号生成手段と、前記予測信号と前記対象画素信号との残差信号を生成する残差信号生成手段と、前記残差信号生成手段により生成された残差信号に対して変換と量子化の両方又は一方を行い、変換係数行列又は量子化された変換係数行列を生成する変換手段と、前記変換手段により生成された変換係数行列又は量子化された変換係数行列を走査して、変換係数又は量子化された変換係数の１次元データを生成する走査手段と、前記走査手段により生成された変換係数又は量子化された変換係数の１次元データを符号化する符号化手段と、前記変換係数又は量子化された変換係数の１次元データを復元する復号手段と、前記復号手段により復号された残差信号に関する変換係数又は量子化された変換係数の１次元データを逆走査して、変換係数行列又は量子化された変換係数行列を生成する逆走査手段と、前記逆走査手段により生成された前記変換係数行列に逆変換を行うか、又は、前記逆走査手段により生成された量子化された変換係数行列に逆量子化と逆変換の両方若しくは逆量子化のみを行うことで、再生残差信号を復元する逆変換手段と、前記予測信号生成手段により生成された前記予測信号と前記逆変換手段により復元された再生残差信号とを加算することによって、前記対象画素信号を復元する画像復元手段と、前記復元された対象画素信号を蓄積する画像保存手段と、を備え、前記予測信号生成手段は、前記画像保存手段に蓄積されている既再生の画素を参照して、異なる予測信号生成方法で複数のテキスチャ信号を生成し、生成した複数のテキスチャ信号のうち、所定の評価規則に照らし前記対象画素信号との相関が最も高いテキスチャ信号を、対象領域の予測信号として選択する予測方法決定手段を含み、前記符号化手段は、前記予測方法決定手段により選択されたテキスチャ信号を生成する予測信号生成方法を指示する画面内予測モード情報を符号化し、前記走査手段は、変換を実施する際の変換ブロックサイズが第１のサイズである場合には用意された複数の走査方法の中から、前記予測方法決定手段により選択されたテキスチャ信号を生成する予測信号生成方法に基づいて定まる走査方法を用い、前記変換ブロックサイズが前記第１のサイズよりも大きい第２のサイズである場合には規定の走査方法を用いて、前記変換係数又は量子化された変換係数の１次元データを生成し、前記逆走査手段は、逆変換を実施する際の逆変換ブロックサイズが前記第１のサイズである場合には用意された複数の逆走査方法の中から、前記画面内予測モード情報に基づいて定まる逆走査方法を用い、前記逆変換ブロックサイズが前記第２のサイズである場合には規定の逆走査方法を用いて、前記復元された変換係数又は量子化された変換係数の１次元データを逆走査して、再生残差信号の変換係数行列又は量子化された変換係数行列を生成する、ことを特徴とする。
【手続補正３】
【補正対象書類名】明細書
【補正対象項目名】００１７
【補正方法】変更
【補正の内容】
【００１７】
本発明に係る画像複合装置は、圧縮データの中から処理対象である対象領域に関する画面内予測モード情報と量子化された変換係数の１次元データとを抽出して復元する復号手段と、複数の画面内予測信号生成方法の中から前記画面内予測モード情報で指定された方法で既再生の画素を参照して画面内予測信号を生成する予測信号生成手段と、前記量子化された変換係数の１次元データを逆走査して、量子化された変換係数行列を生成し、生成した変換係数行列に逆量子化と逆変換を行うことで再生残差信号を復元し、前記画面内予測信号と前記再生残差信号を加算することによって、前記対象領域の画素信号を復元する画像復元手段と、を備え、前記画像復元手段は、逆変換を実施する際の逆変換ブロックサイズが第１のサイズである場合には用意された複数の逆走査方法の中から、前記画面内予測モード情報に基づいて定まる逆走査方法を用い、前記逆変換ブロックサイズが前記第１のサイズよりも大きい第２のサイズである場合には規定の逆走査方法を用いて、前記量子化された変換係数の１次元データを逆走査して、前記量子化された変換係数行列を生成する、ことを特徴とする。
【手続補正４】
【補正対象書類名】明細書
【補正対象項目名】００２１
【補正方法】変更
【補正の内容】
【００２１】
本発明に係る画像符号化方法は、画像符号化装置により実行される画像符号化方法であって、入力画像を複数の領域に分割する領域分割ステップと、前記複数の領域のうちの処理対象である対象領域に含まれる対象画素信号に対する予測信号を生成する予測信号生成ステップと、前記予測信号と前記対象画素信号との残差信号を生成する残差信号生成ステップと、前記残差信号生成ステップにより生成された残差信号に対して変換と量子化の両方又は一方を行い、変換係数行列又は量子化された変換係数行列を生成する変換ステップと、前記変換ステップにより生成された変換係数行列又は量子化された変換係数行列を走査して、変換係数又は量子化された変換係数の１次元データを生成する走査ステップと、前記走査ステップにより生成された変換係数又は量子化された変換係数の１次元データを符号化する符号化ステップと、前記変換係数又は量子化された変換係数の１次元データを復元する復号ステップと、前記復号ステップにより復号された残差信号に関する変換係数又は量子化された変換係数の１次元データを逆走査して、変換係数行列又は量子化された変換係数行列を生成する逆走査ステップと、前記逆走査ステップにより生成された前記変換係数行列に逆変換を行うか、又は、前記逆走査ステップにより生成された量子化された変換係数行列に逆量子化と逆変換の両方若しくは逆量子化のみを行うことで、再生残差信号を復元する逆変換ステップと、前記予測信号生成ステップにより生成された前記予測信号と前記逆変換ステップにより復元された再生残差信号とを加算することによって、前記対象画素信号を復元する画像復元ステップと、前記復元された対象画素信号を蓄積する画像保存ステップと、を備え、前記予測信号生成ステップでは、前記画像保存ステップにより蓄積されている既再生の画素を参照して、異なる予測信号生成方法で複数のテキスチャ信号を生成し、生成した複数のテキスチャ信号のうち、所定の評価規則に照らし前記対象画素信号との相関が最も高いテキスチャ信号を、対象領域の予測信号として選択する予測方法決定ステップを含み、前記符号化ステップでは、前記予測方法決定ステップにより選択されたテキスチャ信号を生成する予測信号生成方法を指示する画面内予測モード情報を符号化し、前記走査ステップでは、変換を実施する際の変換ブロックサイズが第１のサイズである場合には用意された複数の走査方法の中から、前記予測方法決定ステップにより選択されたテキスチャ信号を生成する予測信号生成方法に基づいて定まる走査方法を用い、前記変換ブロックサイズが前記第１のサイズよりも大きい第２のサイズである場合には規定の走査方法を用いて、前記変換係数又は量子化された変換係数の１次元データを生成し、前記逆走査ステップでは、逆変換を実施する際の逆変換ブロックサイズが前記第１のサイズである場合には用意された複数の逆走査方法の中から、前記画面内予測モード情報に基づいて定まる逆走査方法を用い、前記逆変換ブロックサイズが前記第２のサイズである場合には規定の逆走査方法を用いて、前記復元された変換係数又は量子化された変換係数の１次元データを逆走査して、再生残差信号の変換係数行列又は量子化された変換係数行列を生成する、ことを特徴とする。
【手続補正５】
【補正対象書類名】明細書
【補正対象項目名】００２２
【補正方法】変更
【補正の内容】
【００２２】
本発明に係る画像復号方法は、画像復号装置により実行される画像復号方法であって、圧縮データの中から処理対象である対象領域に関する画面内予測モード情報と量子化された変換係数の１次元データとを抽出して復元する復号ステップと、複数の画面内予測信号生成方法の中から前記画面内予測モード情報で指定された方法で既再生の画素を参照して画面内予測信号を生成する予測信号生成ステップと、前記量子化された変換係数の１次元データを逆走査して、量子化された変換係数行列を生成し、生成した変換係数行列に逆量子化と逆変換を行うことで再生残差信号を復元し、前記画面内予測信号と前記再生残差信号を加算することによって、前記対象領域の画素信号を復元する画像復元ステップと、を備え、前記画像復元ステップでは、逆変換を実施する際の逆変換ブロックサイズが第１のサイズである場合には用意された複数の逆走査方法の中から、前記画面内予測モード情報に基づいて定まる逆走査方法を用い、前記逆変換ブロックサイズが第２のサイズである場合には規定の逆走査方法を用いて、前記量子化された変換係数の１次元データを逆走査して、前記量子化された変換係数行列を生成する、ことを特徴とする。
【手続補正６】
【補正対象書類名】明細書
【補正対象項目名】００２３
【補正方法】変更
【補正の内容】
【００２３】
本発明に係る画像符号化プログラムは、コンピュータを、入力画像を複数の領域に分割する領域分割手段と、前記複数の領域のうちの処理対象である対象領域に含まれる対象画素信号に対する予測信号を生成する予測信号生成手段と、前記予測信号と前記対象画素信号との残差信号を生成する残差信号生成手段と、前記残差信号生成手段により生成された残差信号に対して変換と量子化の両方又は一方を行い、変換係数行列又は量子化された変換係数行列を生成する変換手段と、前記変換手段により生成された変換係数行列又は量子化された変換係数行列を走査して、変換係数又は量子化された変換係数の１次元データを生成する走査手段と、前記走査手段により生成された変換係数又は量子化された変換係数の１次元データを符号化する符号化手段と、前記変換係数又は量子化された変換係数の１次元データを復元する復号手段と、前記復号手段により復号された残差信号に関する変換係数又は量子化された変換係数の１次元データを逆走査して、変換係数行列又は量子化された変換係数行列を生成する逆走査手段と、前記逆走査手段により生成された前記変換係数行列に逆変換を行うか、又は、前記逆走査手段により生成された量子化された変換係数行列に逆量子化と逆変換の両方若しくは逆量子化のみを行うことで、再生残差信号を復元する逆変換手段と、前記予測信号生成手段により生成された前記予測信号と前記逆変換手段により復元された再生残差信号とを加算することによって、前記対象画素信号を復元する画像復元手段と、前記復元された対象画素信号を蓄積する画像保存手段、として機能させるための画像符号化プログラムであって、前記予測信号生成手段は、前記画像保存手段に蓄積されている既再生の画素を参照して、異なる予測信号生成方法で複数のテキスチャ信号を生成し、生成した複数のテキスチャ信号のうち、所定の評価規則に照らし前記対象画素信号との相関が最も高いテキスチャ信号を、対象領域の予測信号として選択する予測方法決定手段を含み、前記符号化手段は、前記予測方法決定手段により選択されたテキスチャ信号を生成する予測信号生成方法を指示する画面内予測モード情報を符号化し、前記走査手段は、変換を実施する際の変換ブロックサイズが第１のサイズである場合には用意された複数の走査方法の中から、前記予測方法決定手段により選択されたテキスチャ信号を生成する予測信号生成方法に基づいて定まる走査方法を用い、前記変換ブロックサイズが前記第１のサイズよりも大きい第２のサイズである場合には規定の走査方法を用いて、前記変換係数又は量子化された変換係数の１次元データを生成し、前記逆走査手段は、逆変換を実施する際の逆変換ブロックサイズが前記第１のサイズである場合には用意された複数の逆走査方法の中から、前記画面内予測モード情報に基づいて定まる逆走査方法を用い、前記逆変換ブロックサイズが前記第２のサイズである場合には規定の逆走査方法を用いて、前記復元された変換係数又は量子化された変換係数の１次元データを逆走査して、再生残差信号の変換係数行列又は量子化された変換係数行列を生成する、ことを特徴とする。
【手続補正７】
【補正対象書類名】明細書
【補正対象項目名】００２４
【補正方法】変更
【補正の内容】
【００２４】
本発明に係る画像復号プログラムは、コンピュータを、圧縮データの中から処理対象である対象領域に関する画面内予測モード情報と量子化された変換係数の１次元データとを抽出して復元する復号手段と、複数の画面内予測信号生成方法の中から前記画面内予測モード情報で指定された方法で既再生の画素を参照して画面内予測信号を生成する予測信号生成手段と、前記量子化された変換係数の１次元データを逆走査して、量子化された変換係数行列を生成し、生成した変換係数行列に逆量子化と逆変換を行うことで再生残差信号を復元し、前記画面内予測信号と前記再生残差信号を加算することによって、前記対象領域の画素信号を復元する画像復元手段、として機能させるための画像復号プログラムであって、前記画像復元手段は、逆変換を実施する際の逆変換ブロックサイズが第１のサイズである場合には用意された複数の逆走査方法の中から、前記画面内予測モード情報に基づいて定まる逆走査方法を用い、前逆記変換ブロックサイズが前記第１のサイズよりも大きい第２のサイズである場合には規定の逆走査方法を用いて、前記量子化された変換係数の１次元データを逆走査して、前記量子化された変換係数行列を生成する、ことを特徴とする。